(57)【要約】【課題】下屋の小屋裏空間の温度が周囲に波及することを効果的に抑制できるとともに、快適な住環境を実現できる建築物を提供することにある。【解決手段】２階居室７からはみ出す１階居室５のはみ出し部分を被った小屋根13を備える住宅１を前提とする。小屋根13の裏側の小屋裏空間31を通して連通された階上側通気部41と階下側通気部21とを有する内側通気層17Aを、屋根裏空間と基礎側床下空間とを連通して設けるとともに、屋根裏空間14にこの空間14と屋外との連通を開閉する強制換気装置（換気部）18を設ける。１階居室（下屋）５の天井を上方から被う第１の仕切り材32を設けるとともに、２階居室７を画した内被材49を側方から被って階上側通気部41と小屋裏空間31とを仕切る第２の仕切り材45aを設け、これら両仕切り材32、45aを互いに連続させて小屋裏空間31を区画する。階上側通気部41と小屋裏空間31とを連通する通気部35を第２の仕切り材45aに設ける。【選択図】      図３
2005127001.tif 000002
【特許請求の範囲】
【請求項１】
階上居室及びこの階上居室からはみ出す階下居室を共に被う外被材が、前記階下居室のはみ出し部分に被された小屋根を備え、
階上側通気部と階下側通気部とを有しこれらが前記小屋根の裏側の小屋裏空間を通して連通された内側通気層を、屋根裏空間と基礎側床下空間とを連通して前記外被材の内側に設けるとともに、前記屋根裏空間にこの空間と屋外との連通を開閉する換気部を設け、
前記階下居室の天井を上方から被って第１の仕切り材を設けるとともに、前記階上居室の内被材を側方から被って前記階上側通気部と前記小屋裏空間とを仕切る第２の仕切り材を設け、
これら両仕切り材を互いに連続させて前記小屋裏空間を区画し、かつ、前記階上側通気部と前記小屋裏空間とを連通する通気部を前記第２の仕切り材に設けたことを特徴とする建築物。
【請求項２】
上枠及び下枠を有し少なくとも前記上枠に通気部が設けられた枠体の側面に居室を区画する内被材が装着された枠組壁を備え、この枠組壁により前記階上側通気部と階下側通気部が形成されていることを特徴とする請求項１に記載の建築物。
【請求項３】
前記内側通気層の外側にこの内側通気層との間に断熱材を配置して外側通気層を設け、この外側通気層の下部を外気と連通させるとともに、前記外側通気層の上部が、前記屋根裏空間を被った屋根に設けた排気部を介して外気と連通されていることを特徴とする請求項１又は２に記載の建築物。
【発明の詳細な説明】
【技術分野】
【０００１】
本発明は、階上居室より階下居室が大きく、階下居室の階上居室からはみ出した部分を被う小屋根を備える住宅等の建築物に関する。
【背景技術】
【０００２】
階上居室より側方に突出する階下居室が下屋と称され、この下屋を被う屋根は小屋根と称され、この小屋根の裏側空間は下屋の小屋裏空間と通称されている。小屋裏空間には日射による熱がこもって、この小屋裏空間の温度が上がり易い。
【０００３】
このため、下屋の小屋裏空間の温度上昇を抑制するために、小屋裏空間と２階居室とを連通する出入口を設けるとともに、小屋裏空間に換気扇を設置して、この換気扇を運転することによって２階居室内の空気を小屋裏空間に強制的に流通させる技術が知られている（特許文献１参照。）。
【特許文献１】特開平９−１４４１５１号公報（段落００１０、段落００３５−００４６、段落００５１−００５３、図１−図２）
【発明の開示】
【発明が解決しようとする課題】
【０００４】
２階建て住宅で２階の温度は１階の温度より高いことは知られている。このため、２階建て住宅の下屋の小屋裏空間に通される空気を、２階居室内の空気とした特許文献１の技術では、下屋の小屋裏空間の強制換気にも拘らず、この空間の温度を効果的に下げにくい。このため、夏場における下屋の小屋裏空間の温度が、この空間の真下及び真横に隣接している１階居室（下屋）及び２階居室に波及し、これらの居室の温度が上昇し易い。
【０００５】
しかも、特許文献１での強制換気は、下屋の小屋裏空間から熱気を外部に排出するためだけに使用されており、この換気を他に利用して、例えば住宅の湿気を低減すること等について教示していない。
【０００６】
更に、特許文献１は既述のように下屋の小屋裏空間の熱気を外部に排出する技術を開示しているに過ぎず、小屋裏空間内の空気を利用するという点については教示していない。
【０００７】
本発明が解決しようとする課題は、下屋の小屋裏空間の温度が周囲に波及することを効果的に抑制できるとともに、快適な住環境を実現できる建築物を提供することにある。
【課題を解決するための手段】
【０００８】
前記課題を解決するために、本発明は、階上居室及びこの階上居室からはみ出す階下居室を共に被う外被材が、前記階下居室のはみ出し部分に被された小屋根を備え、階上側通気部と階下側通気部とを有しこれらが前記小屋根の裏側の小屋裏空間を通して連通された内側通気層を、屋根裏空間と基礎側床下空間とを連通して前記外被材の内側に設けるとともに、前記屋根裏空間にこの空間と屋外との連通を開閉する換気部を設け、前記階下居室の天井を上方から被って第１の仕切り材を設けるとともに、前記階上居室の内被材を側方から被って前記階上側通気部と前記小屋裏空間とを仕切る第２の仕切り材を設け、これら両仕切り材を互いに連続させて前記小屋裏空間を区画し、かつ、前記階上側通気部と前記小屋裏空間とを連通する通気部を前記第２の仕切り材に設けたことを特徴としている。
【０００９】
本発明で、階上居室とは上下に隣接する居室の内で上側に配置された居室（例えば１階居室に対する２階居室）を指しており、階下居室とは上下に隣接する居室の内で下側に配置された居室（例えば２階居室に対する１階居室）を指している。本発明で、外被材とは屋外に臨んだ壁や屋根等の外装材を指しており、内被材とは居室に臨んだ内装材を指している。本発明で、屋根裏空間とは最上階の居室とこれを被う最も高い位置の屋根との間に形成された空間を指しており、基礎側床下空間とは上下に隣接する居室間に形成される床下空間ではなく、建築物の基礎と１階居室との間に形成された床下空間を指している。本発明で、小屋裏空間とは、階下居室を上方から被って設けられた外被材の一部である小屋根の裏側に形成された空間を指しており、建築物の高さ方向中間位置に設けられ、下屋の小屋裏空間とも称されることがあり、前記屋根裏空間とは異なる。本発明で、第１の仕切り材は、小屋裏空間を完全に仕切る形態を含んでいることはもちろんであるが、仕切り材に求められる熱遮蔽性能を実質的に損なわない程度の大きさの通気孔、例えば第２の仕切り材に設けた通気部程度の通気孔を設けることは妨げない。
【００１０】
本発明では、基礎側床下空間と屋根裏空間とを連通した内側通気層の中間部に下屋の小屋裏空間を設けている。このため、夏場など温暖期に、屋根裏空間から換気部を通して屋外への強制排気をする場合には、床下の比較的冷たい空気を内側通気層に通して、この通気層の排熱及び排湿を伴いながら、したがって、当然に小屋裏空間に対する排熱及び排湿を伴いながら、各居室の温度上昇を抑える環境に置くことができる。
【００１１】
しかも、下屋の小屋裏空間は第１、第２の仕切り材によって、各居室及び居室間の床下空間等から区画されているので、第１の仕切り材とこれが被っている天井とで階下側居室が二重に仕切られ、第２の仕切り材とこれが被っている内被材とで階上側居室が二重に仕切られている。これにより、小屋裏空間からの輻射熱を二重に減衰できるとともに、２度反射できるので、小屋裏空間の熱がこの空間に隣接している居室に伝わることを効果的に抑制できる。
【００１２】
又、冬場など寒冷期に屋根裏空間から屋外への排気をしない場合には、屋根裏空間と基礎側床下空間と内側通気層とにわたる循環通気流が作られるので、小屋裏空間内の暖かい空気を循環させて、基礎側床下空間内での相対湿度の上昇を抑制しつつ各居室を暖かい環境に置くことができる。この場合、循環通気流が上昇する内側通気層中に小屋裏空間があって太陽光を受け易い場合には、この小屋裏空間の温度が階上側通気部及び階下側通気部の温度より上がり易いので、第２の仕切り材より必然的に小さい通気部を通って小屋裏空間から階上側通気部に流出する空気の流れが助勢されるとともに、階下側通気部から小屋裏空間に流入する空気の流れが助勢される。これにより、強制循環を要することなく、自然通気での通気の循環性能を向上することができる。
【００１３】
又、本発明の好ましい形態では、上枠及び下枠を有し少なくとも前記上枠に通気部が設けられた枠体の側面に居室を区画する内被材が装着された枠組壁を備え、この枠組壁により前記階上側通気部と階下側通気部が形成されているから、枠組壁工法により作られる建築物において、壁体内通気ができる枠組壁を、内側通気層の階上側通気部と階下側通気部として利用できる点で好ましい。
【００１４】
又、本発明の好ましい形態では、前記内側通気層の外側にこの内側通気層との間に断熱材を配置して外側通気層を設け、この外側通気層の下部を外気と連通させるとともに、前記外側通気層の上部が、前記屋根裏空間を被った屋根に設けた排気部を介して外気と連通されているから、断熱材による外断熱ができるとともに、外側通気層での通気によって外被材側でも排熱及び排湿ができる点で好ましい。
【発明の効果】
【００１５】
本発明によれば、内側通気層の通気により、基礎側床下空間内の空気を、小屋根の裏側の小屋裏空間に通して排熱及び排湿を伴いながら屋外へ排気でき又は屋内に循環させることができることに加えて、循環空気流を得る場合に循環空気の流れを小屋裏空間を利用して助勢させて、内側通気層の通気性の向上を図っているので、冬暖かく夏爽やかで快適な住環境を実現できる。その上、太陽光により小屋裏空間の温度が上がる使用条件下では、基礎側床下空間内の空気を小屋裏空間に通してこの空間の上昇温度を効果的に抑制できることに加えて、小屋裏空間を仕切った第１、第２の仕切り材によって、小屋裏空間の温度が周囲の居室に波及することを効果的に抑制できる建築物を提供できる。
【発明を実施するための最良の形態】
【００１６】
図１〜図３を参照して本発明の一実施形態に係る外断熱・二重通気構造の二階建て木造住宅を説明する。
【００１７】
図１及び図２中に示すように住宅１が備えるコンクリート製の基礎２は、その内側に基礎側床下空間（以下床下空間と略称する。）２ａを形成する。基礎２は１以上の床下換気口３を有している。この床下換気口３を開閉する床下ダンパー４が基礎２に取付けられている。床下ダンパー４は手動又は電動により任意に開閉される。
【００１８】
符号５、６は基礎２上に構築された階下居室として１階居室を示している。符号７、８は１階居室５、６上に構築された階上居室として２階居室を示している。符号９は、１階居室５、６と２階居室７、８との間に形成された階上床下空間を示している。一方の１階居室５は、この真上に構築された２階居室７よりも例えば大きく形成されていて、２階居室７に対して側方にはみ出している。
【００１９】
全ての居室５〜８は住宅１の外郭をなす外被材で被われている。外被材は、外装壁材１１、屋根１２、及び小屋根１３等を備えている。外装壁材１１は１、２階の居室５〜８を囲んで設けられている。屋根１２は外装壁材１１の上側に連続して設けられていて、この屋根１２と最上階の２階居室７、８との間には屋根裏空間１４が形成されている。
【００２０】
外装壁材１１の内で住宅１の一側に配置された部分は、１階居室５と２階居室７との位置ずれに倣って、１階居室５に対応する階下側壁材１１ａと、２階居室７及び屋根裏空間１４に対応する階上側壁材１１ｂとに分けられている。小屋根１３は、階下側壁材１１ａ階上側壁材１１ｂとに渡って斜めに設けられていて、１階居室５の前記はみ出し部分を上方から被っている。この配置関係により１階居室５は下屋と称される。なお、小屋根１３が設けられた住宅１の前記一側部分以外の外装壁材１１の側面はいずれも垂直に形成されている。
【００２１】
前記外被材の内側には、これに沿って外断熱のための断熱材１５が配置されているとともに、この断熱材１５を間に置いて外側通気層１６と内側通気層１７Ａ、１７Ｂとが夫々設けられている。断熱材１５の内側には、居室５〜８、屋根裏空間１４、及び内側通気層１７Ａ、１７Ｂが設けられている。
【００２２】
住宅１の上部には、断熱材１５によって外側通気層１６から区画された屋根裏空間１４と屋外との連通を開閉する換気部として例えば強制換気装置１８が設けられている。強制換気装置１８は、屋根裏空間１４と屋外とを連通した排気路１８ａと、この排気路１８ａ中に少なくともファンが配置された電動式の換気扇１８ｂと、この換気扇１８ｂの好ましくは下流側に配置されて排気路１８ａを開閉する排気ダンパー１８ｃとを有して形成されている。換気部である強制換気装置１８は、排気ダンパー１８ｃを備えない構成でもよい。更に、換気部は、手動又は電動により開閉されてその開放により自然換気をする排気ダンパーであってもよく、更に、ドレーキップ窓や天窓などの開口部開閉要に通常の建具も包含する。
【００２３】
外側通気層１６は、断熱材１５と前記外被材との間にこれらに沿って形成されている。この外側通気層１６の下端１６ａは、常時開口されていて、屋外の大気中に連通されている。屋根１２の上部には屋外に連通されるように開放された排気部１９が設けられていて、この排気部１９に外側通気層１６の上端部が連通されている。
【００２４】
内側通気層１７Ａ、１７Ｂは、断熱材１５と居室５〜８との間にこれらに沿って形成されていて、床下空間２ａと屋根裏空間１４とを連通している。小屋根１３が設けられた側に形成された内側通気層１７Ａは、互いに連通する階下側通気部２１と、小屋裏空間３１と、階上側通気部４１で形成されている。この内側通気層１７Ａ以外の内側通気層１７Ｂはいずれも小屋裏空間３１を備えないで階下側通気部２１と階上側通気部４１とを垂直に連続して形成されている。
【００２５】
階下側通気部２１及び階上側通気部４１は、いずれもツーバイフォー工法又はツーバイシックス工法等に代表される枠組壁を通気可能に形成された壁体内通路で作られている。
【００２６】
すなわち、１階居室５又は６を画する階下の枠組壁２２は、図示しない縦枠と、上枠２３（図３参照）と、下枠２４（図１及び図２参照）とからなる四角形の枠体の内側に、図示しない複数本の縦桟を架設するとともに、この枠体の一面に外装パネル２５を装着し、かつ、前記枠体の他面に耐火性内被材として例えば石膏ボード２６を装着して形成されている。枠組壁２２は、その外装パネル２５を断熱材１５の下部内面に接触させて立てて設置されている。この枠組壁２２の石膏ボード２６は１階居室５又は６に臨んでいる。
【００２７】
こうして１階居室５又は６を区画して設置された枠組壁２２の上枠２３には、複数の通気孔（図３に代表して１つのみ示す。）２３ａが貫通され、枠組壁２２の下枠２４にも複数の通気孔２４ｂ（図１及び図２に代表して１つのみ示す。）が貫通されている。これらの通気孔２３ａ、２４ａは枠組壁２２の内部空間と外部とを連通している。互いに連通する上枠２３の通気孔２３ａと、下枠２４の通気孔２４ａと、枠組壁２２の内部空間とによって、枠組壁２２に対し上下方向への通気を可能とする壁体内通路、つまり、階下側通気部２１が形成されている。
【００２８】
図１及び図２に示すように階下側通気部２１の下端の出入り口をなす下枠２４の通気孔２４ａは、前記床下空間２ａに連通されている。枠組壁２２の上枠２３の上端部は、１階居室５又は６の天井２９より高い位置にある。図３で代表して示すように天井２９は、耐火性内被材をなす石膏ボード２９ａの裏面（上面）をロックウールなどの耐火性吸音材２９ｂで被って作られている。
【００２９】
上枠２３の上には端根太（又は側根太）２７が載置されている。この端根太２７には上下方向に通気孔２７ａが貫通しており、この通気孔２７ａは階下側通気部２１の上端の出入り口をなす上枠２３の通気孔２３ａに連通している。
【００３０】
階上側通気部４１は前記階下側通気部２１と同様な構成である。すなわち、２階居室７又は８を画する階下の枠組壁４２は、図示しない縦枠と、上枠４３（図１及び図２参照）と、下枠４４（図３参照）とからなる四角形の枠体の内側に、図示しない複数本の縦桟を架設するとともに、この枠体の一面に外装パネル４５を装着し、かつ、前記枠体の他面に耐火性内被材として例えば石膏ボード４６を装着して形成されている。枠組壁４２は、その外装パネル４５を断熱材１５の上部内面に接触させて立てて設置されている。この枠組壁４２の石膏ボード４６は２階居室７又は８に臨んでいる。
【００３１】
こうして２階居室７又は８を区画して設置された枠組壁４２の上枠４３には、複数の通気孔（図１及び図２に代表して１つのみ示す。）４３ａが貫通され、枠組壁４２の下枠４４にも複数の通気孔４４ｂ（図３に代表して１つのみ示す。）が貫通されている。これらの通気孔４３ａ、４４ａは枠組壁４２の内部空間と外部とを連通している。互いに連通する上枠４３の通気孔４３ａと、下枠４４の通気孔４４ａと、枠組壁４２の内部空間とによって、枠組壁４２に対し上下方向への通気を可能とする壁体内通路、つまり、階上側通気部４１が形成されている。なお、本実施形態の場合、下枠４４は後述する床をなす面材３３上に重ねられて、この面材３３で通気孔４４ａが閉じられるので、下枠４４の通気孔４４ａは省略することもできる。
【００３２】
枠組壁４２の上枠４３の上端部には、２階居室７又は８の天井４９が横方向に連続している。この天井４９は階下の天井２９と同じ構成である。階上側通気部４１の上端の出入り口をなす上枠４３の通気孔４３ａは、前記屋根裏空間１４に連通している。内側通気層１７Ｂにおける階上側通気部４１の下端の出入り口をなす下枠４４の通気孔４４ａは、内側通気層１７Ｂの階上側通気部４１が有した通気孔２３ａ（図１及び図２参照）に連通されている。したがって、この内側通気層１７Ｂを介して床下空間２ａと屋根裏空間１４とが連通されている。
【００３３】
図３を参照して、内側通気層１７Ａの階下側通気部２１と階上側通気部４１とを連通する下屋の小屋裏空間３１を説明する。小屋裏空間３１は、前記小屋根１３の裏側に作られた空間であって、本実施形態では小屋根１３の裏側に沿って斜状に配置されている断熱材部分１５ａの内側（居室側）に設けられている。小屋裏空間３１の容積は、小屋裏空間３１の上下に連続する階下側通気部２１及び階上側通気部４１よりも大きな熱量を蓄えることが可能となるように、小屋裏空間３１に比較して厚みがかなり狭い階下側通気部２１の断面積、及び階上側通気部４１の断面積よりも大きくなっている。この小屋裏空間３１は、第１の仕切り材３２と、第２の仕切り材４５ａと、前記断熱材部分１５ａとで区画されている。第１、第２の仕切り材３２、４５ａは、断熱性を有していることが望ましく、この場合、断熱材を作ることができ、若しくは断熱層を有した構成を採用することが可能である。
【００３４】
第１の仕切り材３２は、２階居室７に対して１階居室５がはみ出た部分の天井２９を被って例えば天井２９と略平行に設けられている。第１の仕切り材３２は天井２９とは間隔を置いて配置されている。これにより、１階居室５は、小屋裏空間３１の熱に対する二重の障壁として機能する第１の仕切り材３２と天井２９とで小屋裏空間３１から仕切られている。第１の仕切り材３２は、それ専用の部材ではなく他の部材を共用できるとともに、大きな断熱性能を有さずに低コストで好適な例として、２階居室７の床を構成する水平な面材３３を断熱材１５の内面に到達するように延出した部分で形成されている。第１の仕切り材３２は、その下側から端根太２７及び図示しない側根太などにより支持されている。この第１の仕切り材３２によって、小屋裏空間３１と、１、２階の居室５、７間、及び居室６、８間の階上床下空間９とは仕切られている。本実施形態の第１の仕切り材３２は小屋裏空間３１と階上床下空間９との間で空気の流通ができないように仕切っている。
【００３５】
第１の仕切り材３２の端根太２７に重ね付けられた縁部には、端根太２７の通気孔２７ａと連通する通気孔３２ａが設けられている。したがって、これらの通気孔２７ａ、３２ａを介して階下側通気部２１と小屋裏空間３１とが連通されている。互いに連通する通気孔２３ａ、２７ａ、３２ａは階下側通気部２１と小屋裏空間３１との間の空気の流通を絞っているので、これらの通気孔を有した上枠２３、端根太２７、及び第１の仕切り材３２によって、階下側通気部２１と小屋裏空間３１とは、互いの連通を許しつつ区分けされている。
【００３６】
第２の仕切り材４５ａは、それ専用の部材ではなく他の部材を共用できる好適な例として、枠組壁４２が有した外装パネル４５の小屋裏空間３１に臨んだ下部で形成されている。第２の仕切り材４５ａは２階居室７の内被材である石膏ボード４６の下部を小屋裏空間３１側の側方から被っている。この第２の仕切り材４５ａの下端は第１の仕切り材３２に連続して、小屋裏空間３１と階上側通気部４１とを仕切っている。これにより、２階居室７は小屋裏空間３１に対して第２の仕切り材４５ａとこれに階上側通気部４１を置いて対向している石膏ボード４６とで二重に仕切られている。言いかえれば、２階居室７は、小屋裏空間３１の熱に対する二重の障壁として機能する第２の仕切り材４５ａと石膏ボード４６とで小屋裏空間３１から仕切られている。
【００３７】
この第２の仕切り材４５ａには、小屋裏空間３１と階上側通気部４１とを連通する通気部をなす複数の通気孔３５（１つのみ図示）が設けられている。詳しくは、第２の仕切り材４５ａの上部には、断面矩形の板状の木等からなり、小屋根１３をその裏側から支持する受け材３６が、図３を描いた紙面と直交する方向に延びて固定されていて、この受け材３６とともに第２の仕切り材４５ａを貫通して複数の通気孔３５が所定の間隔で設けられている。この構成は、受け材３６が第２の仕切り材４５ａ、つまり、本実施形態では外装パネル４５を補強しているので、前記通気孔３５による強度低下を補うことができる点で好ましい。前記所定の間隔は、例えば孔径が（２０〜４０）ｍｍの通気孔３５の場合に、（１００〜３００）ｍｍ間隔とすることが好ましい。通気孔３５は階上側通気部４１と小屋裏空間３１との間の空気の流通を絞っているので、これらの通気孔３５を有した第２の仕切り材４５ａによって、階上側通気部４１と小屋裏空間３１とは、互いの連通を許しつつ区分けされている。したがって、以上のように互いに通気を可能として区分けされた３つの通気領域、つまり、階下側通気部２１と、下屋の小屋裏空間３１と、階上側通気部４１によって、内側通気層１７Ａが形成され、この内側通気層１７Ａを介して床下空間２ａと屋根裏空間１４とが連通されている。
【００３８】
前記構成を備えた住宅１は、夏場は、床下ダンパー４を開放するとともに、強制換気装置１８の排気ダンパー１８ｃを開けて換気扇１８ｂを運転して使用される。これにより、外被材の内側に配置された断熱材１５で外断熱をしつつ、この断熱材１５の外側での外側通気層１６による外側通気と、断熱材１５の内側での内側通気層１７Ａ、１７Ｂによる内側通気とが行われる。
【００３９】
外側通気の流れは図１中点線矢印で示される。つまり、外側通気層１６の下端１６ａの開口から取込まれた屋外空気が、外側通気層１６を上昇して屋根１２の排気部１９から屋外に排出される。この自然換気による外側通気で、住宅１の壁内での排熱及び排湿がなされる。
【００４０】
この外側通気及び外断熱にも拘らず、屋根裏空間１４及び小屋裏空間３１の温度はかなり上昇する。例えば小屋裏空間３１においては略４０度に上昇する。しかし、これらの部分から高気密でかつ高断熱条件下にある居室５〜８への温度の波及は、内側通気によって抑制できる。この内側通気の流れは図１中実線で示される。
【００４１】
つまり、強制換気装置１８の換気力によって、床下換気口３から床下空間２ａに吸い込まれた空気は、この床下空間２ａで冷やされた空気と混じり合ってから、内側通気層１７Ａ、１７Ｂの階下側通気部２１に吸込まれて上昇し、この階下側通気部２１から階上側通気部４１に吸込まれて、ここから屋根裏空間１４に吸込まれた後に、強制換気装置１８を通って屋外に排気される。これにより、内側通気層１７Ａ、１７Ｂを通って屋根裏空間１４に集まった熱気や湿気が屋外に逃がされるので、居室５〜８の温度上昇が抑えられることに伴い居室５〜８が涼しい環境に置かれて、夏場でのより良好な居住性・快適性を確保できる。
【００４２】
この場合、内側通気層１７Ａでは、階下側通気部２１から階上側通気部４１に至る通気において、これらの通気部２１、４１を連通している小屋裏空間３１に、床下で冷やされてから階下側通気部２１を経由した空気が流通する。この際、各通気孔２３ａ、２４ａ、２７ａ、３２ａ、３５、４３ａ、４４ａが絞りとして作用するにも拘らず、強制換気装置１８の換気力により小屋裏空間３１を確実に換気できる。
【００４３】
これにより、小屋裏空間３１からの排熱が円滑かつ速やかに行われ、小屋裏空間３１の温度を効果的に低下させることができる。それにも拘らず、小屋裏空間３１はある程度の温度を保持するので、小屋裏空間３１の周りには輻射熱が作用する。
【００４４】
しかし、この小屋裏空間３１に対して１階居室５は、第１の仕切り材３２とこれが被っている天井２９とで二重に仕切られているとともに、小屋裏空間３１に対して２階居室７は、第２の仕切り材４５ａとこれが被っている石膏ボード４６とによって二重に仕切られている。これらの二重壁によって、小屋裏空間３１からの輻射熱を二重に減衰できるとともに、２度反射できる。こうして小屋裏空間３１の熱が、この空間３１に隣接している居室５、７に伝わることが効果的に抑制されるので、居室５、７を涼しい環境に保持できる。なお、第１の仕切り材３２は、小屋裏空間３１に対して居室５、７間の階上床下空間９も仕切っているので、例えば強制換気装置１８の運転が何らかの事情で停止された場合にも、階上床下空間９に小屋裏空間３１の熱が流れ込んで居室温度を上昇させる恐れがない。
【００４５】
又、前記住宅１は、冬場は、床下ダンパー４を閉じるとともに、強制換気装置１８の排気ダンパー１８ｃを閉じて換気扇１８ｂの運転を停止して使用される。これにより、外被材の内側に配置された断熱材１５で外断熱をしつつ、この断熱材１５の外側での外側通気層１６による外側通気と、断熱材１５の内側での自然循環による通気が行われる。外側通気の流れは既述の通りであり図２でも点線矢印で示される。
【００４６】
断熱材１５の内側での自然循環による通気は、高気密条件下、つまり、屋外の冷たい空気が床下換気口３を通って床下空間に流入することを床下ダンパー４で抑制し、かつ、強制換気装置１８による強制換気を実施しないで行われる。この自然循環による通気は、日射を受けている側では断熱材１５の内側の空気が暖められて上昇し、日陰となっている側では断熱材１５の内側の空気が冷たくなって下降することにより形成され、断熱材１５の内側の暖気は屋外に排気されない。これにより、屋根裏空間１４と床下空間２ａと内側通気層１７Ａ、１７Ｂとにわたって、小屋裏空間３１内の暖かい空気を循環させる循環通気流が作られるので、床下空間２ａ内の相対湿度の上昇を抑制しつつ各居室５〜８を暖かい環境に置くことができる。このため、居室５〜８が暖かい環境に置かれて、冬場での良好な居住性・快適性を確保できる。
【００４７】
内側通気層１７Ａが日射を受けているとした場合における循環通気流を、図２中実線の矢印で示す。この場合、強制換気はなされておらず、各通気孔２３ａ、２４ａ、２７ａ、３２ａ、３５、４３ａ、４４ａが絞りとして作用して循環通気流をある程度抑制しているので、内側通気層１７Ａは熱気を保有し易い。しかも、階上側通気部４１及び階下側通気部２１は、立っていてその内部の空気が上昇し易く、かつ、斜めの小屋裏空間３１程日射を有効に受けないとともに、階下側通気部２１の上部は小屋根１３の影となっているから、循環通気流が上昇する内側通気層１７Ａ中にある小屋裏空間３１の温度が、階上側通気部４１及び階下側通気部２１の温度より上がり易い。
【００４８】
このため、小屋裏空間３１の温度を前記二重壁での減衰条件下で居室５、７に及ぼすことが可能であり、冬場における居室５、７の温度を高めることができる。なお、この場合においても、既述の循環通気流で小屋裏空間３１等に対する排湿が行われていることは勿論である。
【００４９】
しかも、最も温度が高くなる小屋裏空間３１と階上側通気部４１とを連通している通気孔３５は、第２の仕切り材４５ａより必然的に小さいことと相俟って、小屋裏空間３１の温度が最も高くなるので、こうした温度差によって、通気孔３５を通って小屋裏空間３１から階上側通気部４１に流出する空気の流れが助勢される。これとともに、通気孔３５と同じく小断面積で互いに連通している通気孔２３ａ、２７ａ、３２ａを通って階下側通気部２１から小屋裏空間３１に流入する空気の流れも助勢される。こうして小屋裏空間３１において気流の流速が高められるに伴い、前記通気循環を増幅させて、自然通気による循環性能を向上できる。したがって、この住宅１は、小屋裏空間３１を高さ方向中間に配置した内側通気層１７Ａを、冬場に日照を受け易い方位に配して設置することが望ましい。
【００５０】
なお、循環通気流が下降する内側通気層中に小屋裏空間３１があって太陽光を受けがたい方位に住宅１が配置された場合にも、同様な作用が期待できる。つまり、この場合には、日陰に位置する小屋裏空間３１の温度が階上側通気部４１及び階下側通気部２１の温度より下がり易く、この小屋裏空間３１の内の空気は下降し易くなる。これにより、小屋裏空間３１から階下側通気部２１に流出する空気の流れが助勢されるとともに、第２の仕切り材４５ａの通気孔３５を通って階上側通気部４１から小屋裏空間３１に流入する空気の流れが助勢される。このため、自然通気による循環性能の向上を期待できる。
【００５１】
本発明は前記一実施形態には制約されない。例えば、第１の仕切り材３２には、その熱遮蔽機能を実質的に損なわない範囲、例えば通気孔３５と同程度の小断面積の通気孔を設けてもよい。このようにしても、夏場での強制換気装置１８の運転に伴う強制換気時には、第１の仕切り材３２の通気孔を通して階上床下空間９の空気が小屋裏空間３１に吸込まれるので、第１の仕切り材３２の通気孔を通して小屋裏空間３１の熱気が階上床下空間９に流入することはない。又、冬場での強制換気装置１８の運転停止に伴う自然通気循環時には、日射を受ける小屋根１３により加熱される小屋裏空間３１内の熱気の一部を、第１の仕切り材３２の通気孔を通して小屋裏空間３１の熱気が階上床下空間９に流入させて、居室を暖めることも可能である。
【００５２】
又、本発明は、枠組壁を用いないで外被材の内側に内側通気層を形成した住宅、及び断熱材を用いないで外被材の内側に内側通気層を形成した住宅、外側通気層を備えることなく若しくは外被材の内側に内側通気層を形成した住宅等にも適用可能である。
【図面の簡単な説明】
【００５３】
【図１】本発明の一実施形態に係る住宅を温暖期において通気の流れと共に示す概略断面図。
【図２】図１の住宅を寒冷期において通気の流れと共に示す概略断面図。
【図３】図１の住宅が備える下屋の小屋裏空間回りを示す断面図。
【符号の説明】
【００５４】
１…住宅（建築物）
２ａ…基礎側床下空間
３…床下換気口
４…床下ダンパー
５…１階居室
７…２階居室
１１…外装壁材（外被材）
１２…屋根（外被材）
１３…小屋根（外被材）
１４…小屋裏空間
１５…断熱材
１５ａ…断熱材の部分
１６…外側通気層
１７Ａ、１７Ｂ…内側通気層
１８…強制換気装置（換気部）
１９…排気部
２１…階下側通気部
２２…枠組体
２３…上枠
２３ａ…通気孔（通気部）
２４…下枠
２４ａ…通気孔（通気部）
２５…外装パネル
２６…石膏ボード（内被材）
２９…天井
２９ａ…石膏ボード（内被材）
３１…小屋裏空間
３２…第１の仕切り材
３２ａ…通気孔（通気部）
３５…通気孔（通気部）
４１…階上側通気部
４２…枠組壁
４３…上枠
４３ａ…通気孔（通気部）
４４…下枠
４４ａ…通気孔（通気部）
４５…外装パネル
４５ａ…第２の仕切り材
４６…石膏ボード（内被材）
【図１】
2005127001.tif 000003
【図２】
2005127001.tif 000004
【図３】
2005127001.tif 000005